(57)【要約】【課題】屋根に浸入した雨水等の下葺材表面における排水性及び通気性を向上すると共に、下葺材裏面における通気性を向上して湿気を防止する。【解決手段】軟質性合成樹脂のシート状基材１１の上下両面に紙１２，１３を一体的に接合すると共に、上記シート状基材１１の一方の面には一方向に直線状に延びる略一定高さの突条１４を所定間隔で一体的に形成し、且つそのシート状基材１１の同一の面には所定の高さだけ突出した多数のすべり止め突部１８を一体的に形成し、さらに上記シート状基材１１の反対側の面には所定の高さだけ突出した多数のすき間形成用突起１６を一体的に形成したものである。これにより、屋根に浸入した雨水等の下葺材表面における排水性及び通気性を向上すると共に、下葺材裏面における通気性を向上して湿気を防止し、さらに下葺材の敷設作業における作業者の足のすべり止め効果を発揮することができる。【選択図】    図９
2005016109.tif 000002
【特許請求の範囲】
【請求項１】
軟質性合成樹脂のシート状基材の上下両面に紙を一体的に接合すると共に、上記シート状基材の一方の面には一方向に直線状に延びる略一定高さの突条を所定間隔で一体的に形成し、且つそのシート状基材の反対側の面には所定の高さだけ突出した多数のすき間形成用突起を一体的に形成したことを特徴とする屋根下葺材。
【請求項２】
軟質性合成樹脂のシート状基材の上下両面に紙を一体的に接合すると共に、上記シート状基材の一方の面には所定の高さだけ突出した多数のすべり止め突部を一体的に形成し、且つそのシート状基材の反対側の面には所定の高さだけ突出した多数のすき間形成用突起を一体的に形成したことを特徴とする屋根下葺材。
【請求項３】
軟質性合成樹脂のシート状基材の上下両面に紙を一体的に接合すると共に、上記シート状基材の一方の面には一方向に直線状に延びる略一定高さの突条を所定間隔で一体的に形成し、且つそのシート状基材の同一の面には所定の高さだけ突出した多数のすべり止め突部を一体的に形成し、さらに上記シート状基材の反対側の面には所定の高さだけ突出した多数のすき間形成用突起を一体的に形成したことを特徴とする屋根下葺材。
【請求項４】
上記すき間形成用突起は、シート状基材の反対側の面の全面に散点状に設けたことを特徴とする請求項１〜３のいずれか１項に記載の屋根下葺材。
【請求項５】
上記すべり止め突部は、所定の単位面積中に複数個存在するように配置して全面に散点状に設けたことを特徴とする請求項２又は３記載の屋根下葺材。
【請求項６】
上記すべり止め突部は、下部が大径とされると共に上部が小径とされ所定の高さだけ２段階に突出したものとされたことを特徴とする請求項２又は３記載の屋根下葺材。
【発明の詳細な説明】
【０００１】
【発明の属する技術分野】
本発明は、屋根の瓦葺きの際に野地板上に敷く屋根下葺材に関し、特に、屋根に浸入した雨水等の下葺材表面における排水性及び通気性を向上すると共に、下葺材裏面における通気性を向上して湿気を防止し、さらに下葺材の敷設作業における作業者の足のすべり止め効果を発揮し得る屋根下葺材に係るものである。
【０００２】
【従来の技術】
従来の屋根下葺材は各種提案されているが、例えば、軟質性合成樹脂のシート状基材の上下両面に紙を接合すると共に、その上面には一方向に連続して直線状に延びる一定高さの突条を等間隔に形成し、さらに上記シート状基材の上面には所定の高さだけ突出した多数のすべり止め突部を一体的に形成して成るものがある（例えば、特許文献１参照）。
【０００３】
そして、このような屋根下葺材を使用して屋根の瓦葺きをするには、図１０に示すように、屋根の棟から軒に向かって傾斜して渡された垂木１，１，…の上に、その傾斜に沿って野地板２が打ち付けられ、この野地板２の上面にシート状の屋根下葺材３が敷かれ、この屋根下葺材３の上面に所定の間隔で軒線と平行に瓦桟４，４，…が釘等で打ち付けられていた。そして、図１１に示すように、裏面上部に引掛爪を有する瓦５の該引掛爪を上記瓦桟４の上辺部に引っ掛けることにより、上記瓦５を滑り落ちないように掛止して屋根を形成していた。
【０００４】
【特許文献１】
実用新案登録第３０３５５０２号公報（第２頁、図６）
【０００５】
【発明が解決しようとする課題】
このような従来の屋根下葺材３においては、その上面には一定高さの突条が等間隔に形成されているので、屋根下葺材３の上面と瓦桟４の下面との間には所定間隔のすき間が形成され、屋根に浸入した雨水等の下葺材表面における排水性及び通気性を向上すると共に、雨水排水の横走りを防止することができる。しかし、上記屋根下葺材３の下面は平らに形成されているので、野地板２の上面にシート状の屋根下葺材３を敷いた状態では、その野地板２の上面と屋根下葺材３の下面との間には何らすき間が形成されないものであった。したがって、屋根に浸入した雨水等が、例えば瓦桟４を釘等で打ち付けたわずかな釘孔等から屋根下葺材３の下面側にしみ込むと、上記野地板２の上面と屋根下葺材３の下面との間に雨水等が滞留して湿気が発生することがあった。このことから、下葺材裏面における湿気を防止することができず、野地板２の腐食の原因となることがあった。
【０００６】
そこで、本発明は、このような問題点に対処し、屋根に浸入した雨水等の下葺材表面における排水性及び通気性を向上すると共に、下葺材裏面における通気性を向上して湿気を防止することができる屋根下葺材を提供することを目的とする。
【０００７】
【課題を解決するための手段】
上記目的を達成するために、第一の発明による屋根下葺材は、軟質性合成樹脂のシート状基材の上下両面に紙を一体的に接合すると共に、上記シート状基材の一方の面には一方向に直線状に延びる略一定高さの突条を所定間隔で一体的に形成し、且つそのシート状基材の反対側の面には所定の高さだけ突出した多数のすき間形成用突起を一体的に形成したものである。
【０００８】
このような構成により、上下両面に紙を一体的に接合した軟質性合成樹脂のシート状基材の一方の面に所定間隔で一体的に形成された直線状の略一定高さの突条により、屋根に浸入した雨水等の下葺材表面における排水性及び通気性を向上すると共に雨水排水の横走りを防止し、上記シート状基材の反対側の面に一体的に形成され所定の高さだけ突出した多数のすき間形成用突起により、下葺材裏面における通気性を向上して湿気を防止する。
【０００９】
また、第二の発明による屋根下葺材は、軟質性合成樹脂のシート状基材の上下両面に紙を一体的に接合すると共に、上記シート状基材の一方の面には所定の高さだけ突出した多数のすべり止め突部を一体的に形成し、且つそのシート状基材の反対側の面には所定の高さだけ突出した多数のすき間形成用突起を一体的に形成したものである。
【００１０】
このような構成により、上下両面に紙を一体的に接合した軟質性合成樹脂のシート状基材の一方の面に一体的に形成され所定の高さだけ突出した多数のすべり止め突部により、屋根に浸入した雨水等の下葺材表面における排水性及び通気性を向上すると共に下葺材の敷設作業における作業者の足のすべり止め効果を発揮し、上記シート状基材の反対側の面に一体的に形成され所定の高さだけ突出した多数のすき間形成用突起により、下葺材裏面における通気性を向上して湿気を防止する。
【００１１】
さらに、第三の発明による屋根下葺材は、軟質性合成樹脂のシート状基材の上下両面に紙を一体的に接合すると共に、上記シート状基材の一方の面には一方向に直線状に延びる略一定高さの突条を所定間隔で一体的に形成し、且つそのシート状基材の同一の面には所定の高さだけ突出した多数のすべり止め突部を一体的に形成し、さらに上記シート状基材の反対側の面には所定の高さだけ突出した多数のすき間形成用突起を一体的に形成したものである。
【００１２】
このような構成により、上下両面に紙を一体的に接合した軟質性合成樹脂のシート状基材の一方の面に所定間隔で一体的に形成された直線状の略一定高さの突条により、屋根に浸入した雨水等の下葺材表面における排水性及び通気性を向上すると共に雨水排水の横走りを防止し、且つ上記シート状基材の同一の面に一体的に形成され所定の高さだけ突出した多数のすべり止め突部により、下葺材の敷設作業における作業者の足のすべり止め効果を発揮し、上記シート状基材の反対側の面に一体的に形成され所定の高さだけ突出した多数のすき間形成用突起により、下葺材裏面における通気性を向上して湿気を防止する。
【００１３】
また、上記すき間形成用突起は、シート状基材の反対側の面の全面に散点状に設けたものとしてもよい。
【００１４】
さらに、上記すべり止め突部は、所定の単位面積中に複数個存在するように配置して全面に散点状に設けたものとしてもよい。
さらにまた、上記すべり止め突部は、下部が大径とされると共に上部が小径とされ所定の高さだけ２段階に突出したものとしてもよい。
【００１５】
【発明の実施の形態】
以下、本発明の実施の形態を添付図面に基づいて詳細に説明する。
図１は第一の発明による屋根下葺材の実施の形態を示す斜視図である。この屋根下葺材１０は、図１０に示すように屋根の瓦葺きの際に野地板２上に敷くもので、図１に示すように、シート状基材１１の上下両面にそれぞれ紙１２，１３が接合されている。上記シート状基材１１は、屋根下葺材１０の芯材となるもので、例えばポリエチレンなどの軟質性合成樹脂により厚さが０．５〜１ｍｍ程度のシート状に形成されている。また、紙１２，１３は、上記シート状基材１１の上下両面を覆う表面材となるもので、例えばクラフト紙からなり、該シート状基材１１の上面及び下面にそれぞれ一体的に接合されている。
【００１６】
そして、上記シート状基材１１の一方の面、例えば上面には、一方向に直線状に延びる略一定高さの突条１４，１４，…が所定間隔で一体的に形成されている。この突条１４は、図２に示すように、屋根下葺材１０の上面に打ち付けられる瓦桟４の下面との間にその突条１４の高さ分だけの小さい隙間１５を形成して、例えば屋根からの漏水を軒方向に案内して排水せしめたり、通気性を向上すると共に、雨水排水の横走りを防止するものである。
【００１７】
なお、上記突条１４，１４，…の間隔は、例えば約２〜１０ｃｍ程度とされている。上記略一定高さの複数の突条１４，１４，…を所定間隔で形成したことにより、屋根下葺材１０と瓦桟４との間に形成される小さい隙間１５を各瓦桟４の長手方向において略一定に保つことができる。従って、屋根からの漏水を瓦桟４の上角部に滞留させることなく、上記の隙間１５を介して通過させると共に突条１４，１４，…により横走りを防止して軒方向に流下排水させることができる。また、上記の隙間１５が略一定に保たれることから、上記瓦桟４との間における空気の流通作用を場所によらず一様とすることができる。
【００１８】
ここで、本発明においては、図２に示すように、上記シート状基材１１の反対側の面、例えば下面には、所定の高さだけ突出した多数のすき間形成用突起１６，１６，…が一体的に形成されている。このすき間形成用突起１６は、野地板２の上面に敷かれる屋根下葺材１０の下面との間にそのすき間形成用突起１６の高さ分だけの小さいすき間１７を形成して、下葺材裏面における通気性を向上して湿気を防止するもので、例えば０．３〜１．０ｍｍ程度の高さとされている。なお、上記すき間形成用突起１６の断面形状は、図２に示す矩形状に限られず、例えば頂部が尖った円錐状、或いはその他の突形状としてもよい。
【００１９】
そして、これらのすき間形成用突起１６は、図３に示すように、屋根下葺材１０のシート状基材１１の下面全面に散点状に設けられている。このとき、上記すき間形成用突起１６を前後左右に例えばマトリックス状に設けることにより、屋根下葺材１０と野地板２との間に形成される小さいすき間１７を、下面全面にわたって略一定に保つことができる。したがって、屋根に浸入した雨水等が、例えば瓦桟４を釘等で打ち付けたわずかな釘孔等から屋根下葺材１０の下面側にしみ込んで発生した湿気を上記のすき間１７を介して通過させて、下葺材裏面における湿気を防止することができる。また、上記のすき間１７が略一定に保たれることから、上記野地板２との間における空気の流通作用を場所によらず一様とすることができる。
【００２０】
このような屋根下葺材１０の全体的な寸法は、例えば幅が１〜２ｍ前後とされ、長さが約２１ｍ，４２ｍなどとされている。そして、図１において、屋根下葺材１０の例えば一端部１０ａ側が屋根の棟側に位置され、他端部１０ｂ側が軒側に位置して、その上面の突条１４，１４，…の長手方向が屋根の傾斜方向に沿うようにされている。
【００２１】
図４は第二の発明による屋根下葺材１０の実施の形態を示す斜視図である。この実施形態の屋根下葺材１０は、軟質性合成樹脂のシート状基材１１の上下両面に紙１２，１３を一体的に接合すると共に、上記シート状基材１１の一方の面、例えば上面には所定の高さだけ突出した多数のすべり止め突部１８，１８，…を一体的に形成したものであり（図１に示す突条１４は設けられていない）、他の構成は図１の場合と全く同様である。このすべり止め突部１８は、例えば屋根の瓦葺きの際に野地板２上に敷かれた屋根下葺材１０の上面にのって作業をする作業者の足のすべり止め効果を発揮するもので、その突出高さは例えば２〜２．５ｍｍ程度とされており、１段に突出している。そして、これらのすべり止め突部１８，１８，…は、前後左右に例えばマトリックス状に設けられている。
【００２２】
そして、上記すべり止め突部１８は、図５に示すように、屋根下葺材１０の上面に打ち付けられる瓦桟４の下面との間にそのすべり止め突部１８の高さ分だけの小さい隙間１５を形成して、例えば屋根からの漏水を軒方向に排水せしめたり、通気性を向上する作用も発揮するようになっている。なお、上記すべり止め突部１８，１８，…を、前後左右に例えばマトリックス状に設けることにより、屋根下葺材１０と瓦桟４との間に形成される小さい隙間１５を各瓦桟４の長手方向において略一定に保つことができる。したがって、屋根からの漏水を瓦桟４の上角部に滞留させることなく、上記の隙間１５を介して通過させると共に軒方向に流下排水させることができる。また、上記の隙間１５が略一定に保たれることから、上記瓦桟４との間における空気の流通作用を場所によらず一様とすることができる。
【００２３】
また、上記すべり止め突部１８は、図６に示すように、所定の単位面積Ｓの中に複数個存在するように配置して全面に散点状に設けられている。すなわち、屋根下葺材１０の上面に打ち付けられる瓦桟４（図５参照）の幅をｗとすると、この幅ｗを一辺とする正方形の面積を単位面積Ｓとし、この単位面積Ｓ中に所定の複数個が配置されている。具体的には、屋根下葺材１０の長手方向に沿って多数行設けられたすべり止め突部１８を、一行おきに半ピッチだけ位置をずらしてマトリックス状に配置し、例えば１８ｍｍ四方の面積Ｓの中に４個以上のすべり止め突部１８が配置されている。
【００２４】
なお、図６において、前記シート状基材１１の幅方向の両側辺部の一定領域Ｅ１  ，Ｅ２に設けられるすべり止め突部１８は、それ以外の中間部領域のすべり止め突部１８の突出高さより低く形成されている。これは、図１０において野地板２上に屋根下葺材１０を傾斜の低い方から高い方へ敷いて行く際に、隣接する側辺部の重ね合わせ部分が他の部分に比べて大きく盛り上がらないようにするためである。そして、一定領域Ｅ１，Ｅ２の幅は例えば約１０〜１５ｃｍ程度であり、この領域Ｅ１，Ｅ２内のすべり止め突部１８の高さは例えば約１．３ｍｍ程度に抑えられている。
【００２５】
図７はすべり止め突部１８の他の実施例を示す断面図である。この実施例は、上記すべり止め突部１８を２段階に突出したものとしたものである。すなわち、図７（ａ）に示すように、下部が大径とされると共に上部が小径とされ所定の高さだけ２段階に突出したすべり止め突部１８′とされている。ここで、下部大径突部１９は、平面視で直径約４ｍｍ程度の円形の台座とされており、図７（ａ）に示すように側断面形状は矩形とされ、高さが約１．５ｍｍ程度とされている。また、上部小径突部２０は、上記下部大径突部１９の中心部にて平面視で直径約２ｍｍ程度の円形の突起とされており、図７（ａ）に示すように側断面形状は矩形とされ、高さが約１ｍｍ程度とされている。したがって、上記のように２段に形成されたすべり止め突部１８′の全体では、突出高さＨ１が約２．５ｍｍ程度とされている。この場合は、上記すべり止め突部１８′の下部大径突部１９で踏み感の安定性を維持し、上部小径突部２０で作業者の作業靴下面にくいつき状となり、すべり止め効果を増大させることができる。
【００２６】
さらに、上記２段階に突出したすべり止め突部１８′において、図７（ｂ）に示すように、下部大径突部１９の側断面形状を台形に形成し、上部小径突部２０の側断面形状を矩形に形成してもよい。この場合は、屋根下葺材１０を製造するときに、シート状基材１１の上面に圧着一体化される上面側の紙１２が破れにくくすることができる。したがって、屋根下葺材１０の仕上がりをきれいにすることができる。なお、上部小径突部２０の側断面形状も台形に形成してもよい。
【００２７】
図８は第三の発明による屋根下葺材１０の実施の形態を示す斜視図である。この実施形態の屋根下葺材１０は、軟質性合成樹脂のシート状基材１１の上下両面に紙１２，１３を一体的に接合すると共に、上記シート状基材１１の一方の面、例えば上面には一方向に直線状に延びる略一定高さの突条１４，１４，…を所定間隔で一体的に形成し、且つそのシート状基材１１の同一の面には所定の高さだけ突出した多数のすべり止め突部１８，１８，…を一体的に形成したものであり、他の構成は図１の場合と全く同様であって、全体として図１の構成と図４の構成とを組み合わせたものに相当する。
【００２８】
この場合、図９に示すように、屋根下葺材１０の上面に打ち付けられる瓦桟４の下面との間には、上記突条１４とすべり止め突部１８とによりそれらの高さ分だけの小さい隙間１５を形成して、例えば屋根からの漏水を軒方向に案内して排水せしめたり、通気性を向上すると共に、雨水排水の横走りを防止し、さらに屋根の瓦葺きの際に野地板２上に敷かれた屋根下葺材１０の上面にのって作業をする作業者の足のすべり止め効果を発揮するようになっている。なお、この実施形態では、上記突条１４は、すべり止め突部１８の突出高さと同等か、それよりもやや低くされている。
【００２９】
上述のように構成された屋根下葺材１０を使用して屋根の瓦葺きをするには、図１０に示すように、屋根の傾斜に沿って野地板２を打ち付け、この野地板２の上面に本発明による屋根下葺材１０を、その突条１４及びすべり止め突部１８が上向きになるように敷き、この屋根下葺材１０の上面に所定の間隔で軒線と平行に瓦桟４，４，…を釘等で打ち付ける。このとき、作業者は、作業靴のまま屋根下葺材１０の上面にのるが、図４及び図８に示す屋根下葺材１０を用いた場合は、シート状基材１１の上面に所定の高さだけ突出した多数のすべり止め突部１８，１８，…により、足のすべり止めの効果を受ける。
【００３０】
すなわち、上記すべり止め突部１８がゴム製などの靴底に多点で接触状態となり、屋根下葺材１０上でほとんどすべることなく、安全に瓦桟４を打ち付けることができる。また、上記瓦桟４は、すべり止め突部１８の上端部で支持されるが、該すべり止め突部１８は、図６に示すように、所定の単位面積Ｓ中に所定の複数個存在するように配置されているので、所定幅ｗの瓦桟４をその幅方向において常に複数個のすべり止め突部１８，１８，…で支持することとなり、打ち付け状態の瓦桟４が幅方向にぐらつかないように安定して固定できる。
【００３１】
その後、図１１に示すように、裏面上部に引掛爪を有する瓦５の該引掛爪を上記瓦桟４の上辺部に引っ掛けることにより、上記瓦５を滑り落ちないように掛止して瓦葺きをし、屋根を形成する。このときも、作業者は、作業靴のまま屋根下葺材１０及び瓦桟４の上にのりながら作業をするが、上述と同様に屋根下葺材１０の上面のすべり止め突部１８，１８，…のすべり止め効果により、安全に瓦葺きの作業をすることができる。
【００３２】
なお、上記屋根下葺材１０の下面にすき間形成用突起１６が設けられていることから、該屋根下葺材１０を野地板２の上面に敷く際に、その屋根下葺材１０が傾斜した野地板２に沿ってずれるのを防止することができる。そして、上記すき間形成用突起１６の断面形状を例えば頂部が尖った円錐状などにした場合は、屋根下葺材１０のずれ止め効果を向上することができる。
【００３３】
また、屋根下葺材１０の下面にすき間形成用突起１６が設けられ、上面には突条１４、すべり止め突部１８が設けられているので、仮に誤って屋根下葺材１０の上下面を反転して野地板２の上面に敷いたとしても、上記屋根下葺材１０の上面及び下面に空気の流通のためのすき間を形成することができ、本発明の屋根下葺材１０としての機能は十分発揮できる。したがって、屋根の瓦葺きの作業性を向上できる。
【００３４】
なお、以上の説明においては、屋根下葺材１０の下面のすき間形成用突起１６（図３参照）及び上面のすべり止め突部１８（図６参照）の平面形状を円形に形成したものとして示したが、本発明はこれに限らず、平面視で四角形、五角形、六角形などの多角形に形成してもよいし、その他の適宜の形状としてもよい。また、その高さ等の寸法も上述のものに限られず、屋根の施工状態に合わせて適宜の寸法としてもよい。
【００３５】
【発明の効果】
本発明は以上のように構成されたので、請求項１及び４に係る発明によれば、上下両面に紙を一体的に接合した軟質性合成樹脂のシート状基材の一方の面に所定間隔で一体的に形成された直線状の略一定高さの突条により、屋根に浸入した雨水等の下葺材表面における排水性及び通気性を向上すると共に雨水排水の横走りを防止し、上記シート状基材の反対側の面に一体的に形成され所定の高さだけ突出した多数のすき間形成用突起により、下葺材裏面における通気性を向上して湿気を防止することができる。したがって、野地板の湿気による腐食を防止して長持ちさせることができる。
【００３６】
また、請求項２及び４，５，６に係る発明によれば、上下両面に紙を一体的に接合した軟質性合成樹脂のシート状基材の一方の面に一体的に形成され所定の高さだけ突出した多数のすべり止め突部により、屋根に浸入した雨水等の下葺材表面における排水性及び通気性を向上すると共に下葺材の敷設作業における作業者の足のすべり止め効果を発揮し、上記シート状基材の反対側の面に一体的に形成され所定の高さだけ突出した多数のすき間形成用突起により、下葺材裏面における通気性を向上して湿気を防止することができる。したがって、下葺材の敷設作業における作業の安全性を向上することができると共に、野地板の湿気による腐食を防止して長持ちさせることができる。
【００３７】
さらに、請求項３及び４，５，６に係る発明によれば、上下両面に紙を一体的に接合した軟質性合成樹脂のシート状基材の一方の面に所定間隔で一体的に形成された直線状の略一定高さの突条により、屋根に浸入した雨水等の下葺材表面における排水性及び通気性を向上すると共に雨水排水の横走りを防止し、且つ上記シート状基材の同一の面に一体的に形成され所定の高さだけ突出した多数のすべり止め突部により、下葺材の敷設作業における作業者の足のすべり止め効果を発揮し、さらに上記シート状基材の反対側の面に一体的に形成され所定の高さだけ突出した多数のすき間形成用突起により、下葺材裏面における通気性を向上して湿気を防止することができる。したがって、下葺材の敷設作業における作業の安全性を向上することができると共に、野地板の湿気による腐食を防止して長持ちさせることができる。
【図面の簡単な説明】
【図１】第一の発明による屋根下葺材の実施の形態を示す斜視図である。
【図２】図１のＡ−Ａ線断面図である。
【図３】図１に示す屋根下葺材の裏面に形成されたすき間形成用突起の配置例を示す底面図である。
【図４】第二の発明による屋根下葺材の実施の形態を示す斜視図である。
【図５】図４のＢ−Ｂ線断面図である。
【図６】図４に示すすべり止め突部の配置例を示す平面図である。
【図７】すべり止め突部の他の実施例を示す断面図である。
【図８】第三の発明による屋根下葺材の実施の形態を示す斜視図である。
【図９】図８のＣ−Ｃ線断面図である。
【図１０】本発明及び従来例における屋根の瓦葺きの状態を説明する斜視図である。
【図１１】本発明及び従来例における屋根の形成状態を示す要部の拡大側断面図である。
【符号の説明】
２…野地板
４…瓦桟
１０…屋根下葺材
１１…シート状基材
１２，１３…紙
１４…突条
１５…小さい隙間
１６…すき間形成用突起
１７…小さいすき間１７
１８，１８′…すべり止め突部
１９…下部大径突部
２０…上部小径突部
Ｓ…単位面積
【図１】
2005016109.tif 000003
【図２】
2005016109.tif 000004
【図３】
2005016109.tif 000005
【図４】
2005016109.tif 000006
【図５】
2005016109.tif 000007
【図６】
2005016109.tif 000008
【図７】
2005016109.tif 000009
【図８】
2005016109.tif 000010
【図９】
2005016109.tif 000011
【図１０】
2005016109.tif 000012
【図１１】
2005016109.tif 000013